(57)【特許請求の範囲】
【請求項１】
有底筒状の容器本体（１）と、該容器本体（１）を密封するための外蓋体（２）と、を備えた密封容器に於て、
抽出飲料用粉粒体を収容するための有底筒状の抽出容器（３）と、該抽出容器（３）に施蓋状に取着すると共に上記容器本体（１）に内嵌状に取着される取手付きの内蓋体（５）と、を備えた抽出ユニット（４）を具備し、
上記容器本体（１）は、上部に、上記内蓋体（５）が接触する下方縮径型のテーパ状内周面（13）を有し、
上記内蓋体（５）は、上記テーパ状内周面（13）に上下直線状に接触する上下位置決め用の複数の縦凸条部（55）を有し、
上記テーパ状内周面（13）と上記縦凸条部（55）との密着にて上記容器本体（１）に上記抽出ユニット（４）を着脱自在に内嵌状に取着したことを特徴とする密封容器。
【請求項２】
上記抽出容器（３）に上記内蓋体（５）を取着した施蓋完了状態で、上記抽出容器（３）の上端面（３ａ）と、該上端面（３ａ）と対面状となる上記内蓋体（５）の施蓋面（５ｄ）と、の間に、空気抜き用の間隙（Ｓ）を形成するための小凸部（70）を、上記上端面（３ａ）及び上記施蓋面（５ｄ）の一方に突設した請求項１記載の密封容器。
【発明の詳細な説明】
【技術分野】
【０００１】
本発明は、抽出飲料用の密封容器に関する。
【背景技術】
【０００２】
従来、有底筒状の容器本体と、容器本体を密封状に施蓋する外蓋体と、を備えた飲料用の密封容器は、外蓋体の下面側に、茶葉や珈琲豆の粉等の抽出飲料用粉粒体が収容可能な抽出容器を取着したものがあった（例えば、特許文献１参照）。
【先行技術文献】
【特許文献】
【０００３】
【特許文献１】登録実用新案第３１０２４３６号公報
【発明の概要】
【発明が解決しようとする課題】
【０００４】
しかし、従来の密封容器は、所定抽出時間後に（所望の濃さになった際に）、容器本体から外蓋体を取り外し、外蓋体から抽出容器を取り外した後、外蓋体を容器本体に取着する必要があり、手間と時間がかかるといった問題があった。また、外蓋体から抽出容器を取り外す際に、手がひどく濡れてしまうといった問題や、抽出飲料が接触する虞の高い外蓋体の下面側に手が触れる場合があり、そのまま外蓋体を容器本体に取着するのは不衛生であるといった問題や、抽出飲料用粉粒体が外蓋体の裏面側に付着している場合があり抽出飲料に混入してしまうといった問題があるため、抽出容器を取り外した外蓋体を洗浄してから容器本体に取着する必要があった。
【０００５】
そこで、本発明は、容器本体から抽出容器を容易かつ衛生的に取り出せると共に、抽出容器取り出し後に外蓋体を素早く容器本体に取着することが可能な密封容器の提供を目的とする。
【課題を解決するための手段】
【０００６】
上記目的を達成するために、本発明の密封容器は、有底筒状の容器本体と、該容器本体を密封するための外蓋体と、を備えた密封容器に於て、抽出飲料用粉粒体を収容するための有底筒状の抽出容器と、該抽出容器に施蓋状に取着すると共に上記容器本体に内嵌状に取着される取手付きの内蓋体と、を備えた抽出ユニットを具備し、上記容器本体は、上部に、上記内蓋体が接触する下方縮径型のテーパ状内周面を有し、上記内蓋体は、上記テーパ状内周面に上下直線状に接触する上下位置決め用の複数の縦凸条部を有し、上記テーパ状内周面と上記縦凸条部との密着にて上記容器本体に上記抽出ユニットを着脱自在に内嵌状に取着したものである。
また、上記抽出容器に上記内蓋体を取着した施蓋完了状態で、上記抽出容器の上端面と、該上端面と対面状となる上記内蓋体の施蓋面と、の間に、空気抜き用の間隙を形成するための小凸部を、上記上端面及び上記施蓋面の一方に突設したものである。
【発明の効果】
【０００７】
本発明によれば、容器本体から抽出容器を容易かつ迅速に取り出すことができると共に、抽出容器取り出し後、直ぐに、外蓋体を容器本体に取着することができる。抽出容器を取り出す際に手がひどく濡れず、容器本体の収納や冷蔵庫の開閉を衛生的に行うことができる。容器本体から抽出容器を取り出す際に、外蓋体の下面側に手が接触する虞がなく、衛生的であると共に外蓋体を洗浄する手間と時間を削減できる。
【図面の簡単な説明】
【０００８】
【図１】本発明の実施の一形態を示す半截断面側面図である。
【図２】容器本体と外蓋体の取着状態を示す断面側面図である。
【図３】抽出ユニットを示す正面図である。
【図４】抽出容器と内蓋体の取り外し状態を示す斜視図である。
【図５】内蓋体の下面側を示す斜視図である。
【図６】容器本体に抽出ユニットを取着した状態を示す平面図である。
【図７】図６のＡ−Ａ断面図である。
【図８】容器本体に抽出ユニットと外蓋体を取着した状態を示す断面図である。
【図９】作用説明図であって、（ａ）は抽出ユニット挿入途中状態を示す説明図であり、（ｂ）は抽出ユニット挿入途中状態を拡大した説明図である。
【図１０】作用説明図であって、（ａ）は抽出ユニットの取り出し途中状態を示す説明図であり、（ｂ）は抽出ユニット取り出し完了状態を示す説明図である。
【図１１】抽出ユニットの他の一例を示す正面図である。
【発明を実施するための形態】
【０００９】
以下、図示の実施形態に基づき本発明を詳説する。
本発明に係る密封容器は、図１及び図２に示すように、有底筒状の容器本体１と、容器本体１に螺着して上方開口部を密封状に施蓋する外蓋体２と、を備えている。
【００１０】
外蓋体２は、容器本体１の上方開口部に螺合するための雄ネジ部21と、雄ネジ部21の下方位置に配設される外周凹溝22と、が耐熱性樹脂（例えば、ポリプロピレン樹脂）で一体成形された施蓋部材20を有している。
さらに、外蓋体２は、施蓋部材20の外周凹溝22に外嵌状に取着する円環状のシール材23（例えば、シリコン製のＯリング）を有している。
【００１１】
図１と図２及び図６に示すように、容器本体１は、樹脂製一体成形品であって、耐熱性樹脂製（例えば、ＡＳ樹脂製）である。
開口内周面14に、外蓋体２の雄ネジ部21が螺着するための（雌ネジ作用を有する）一対の螺着用凸（条）部11，11をラジアル内方へ突設している。また、開口内周面14の下方位置に外蓋体２のシール材23と接触するための平面視円環状のシール用段差面（段差部）12を有している。
そして、シール用段差面12の下方位置の上部内周面13を、下方縮径型のテーパ状に形成している。
【００１２】
さらに、図１及び図３と図４に示すように、容器本体１に差し込まれて内嵌状に取着すると共に珈琲豆や茶葉等の抽出飲料用粉粒体を収容するために抽出ユニット４を備えている。
抽出ユニット４は、抽出飲料用粉粒体を収容するための有底筒状の抽出容器３と、抽出容器３の上方開口部に施蓋状に螺着すると共に容器本体１の上部内周面13に着脱自在に内嵌状に取着される取手付きの内蓋体５と、を備えている。
【００１３】
抽出容器３は、上部に雄ネジ部32を有し、外周壁部にラジアル方向に流体が通過可能な抽出フィルタ部（抽出膜部）31を有している。
抽出容器３は、外周壁部に窓部38ａが形成されると共に上部に雄ネジ部32が形成される有底筒状部材38と、窓部38ａを覆うように配設されたフィルタ部材（メッシュ部材）39と、を一体成形したものである。具体的には、有底筒状部材38を、耐熱性樹脂（例えば、ポリプロピレン樹脂）で金型成型（形）する際に、窓部38ａに対応するように、予め作成した耐熱性樹脂（例えば、ポリエステル樹脂）製のフィルタ部材39を、インサートして、一体成形したものである。
【００１４】
図３乃至図５に示すように、内蓋体５は、有蓋短円筒形状の樹脂製一体成形品であって、上面５ａに門型（アーチ型）の取手部51が突設され、内周面５ｃに抽出容器３の雄ネジ部32と螺着するための（雌ネジ作用を有する）一対の螺着用凸（条）部59，59がラジアル内方に突設されている。
【００１５】
さらに、内蓋体５は、抽出容器３に螺着した施蓋完了状態で抽出容器３の上端面３ａと対面状となる内蓋体５の施蓋面５ｄに、一対の小凸部70，70を突設している。
上記施蓋完了状態で、小凸部70，70が内蓋体５の施蓋面５ｄに当接し、抽出容器３の上端面３ａと、内蓋体５の施蓋面５ｄとを、密着させず、所定間隙寸法Ｚ（小凸部70の突出寸法と同寸法）をもった、空気抜き用の間隙Ｓ（図７及び図８参照）を形成するように設けている。
【００１６】
次に、容器本体１と内蓋体５（抽出ユニット４）の取着構造について説明する。図６及び図７に示すように、容器本体１の上部内周面13を下方へ向かって縮径（縮小）するテーパ状に形成している。言い換えると、容器本体１は、上部に下方縮径型のテーパ状内周面13を有している。そして、内蓋体５の外周面５ｂ（筒壁）からラジアル外方へ突出して、容器本体１の上部内周面13に上下直線状に接触する上下位置決め用の複数の縦凸条部55を設けている。
縦凸条部55は、平面視で所定の中心角度をもって、外周面５ｂから放射状（等間隔）に、８個、突設している。縦凸条部55は、容器本体１と同軸心状に内蓋体５を配設して、その内蓋体５を容器本体１の底部に向かって移動させると、容器本体１の上部内周面13に上下直線状に接触する側面視傾斜状の突出先端面（テーパ状内周面13と同じ傾斜角度をもったラジアル外方端面）55ａを有している。縦凸条部55は６〜１２個設けるのが好ましい。５個以下であると、姿勢安定性が悪化し、１３個以上であると、着脱が困難になるため、容器本体１の上部内周面13を高精度に成形しなければならない。
【００１７】
図７に示すように、容器本体１のテーパ状内周面13に、内蓋体５の縦凸条部55の突出先端面55ａが密着することで、内嵌状態となり、内蓋体５が下方側（容器本体１の底部側）へ移動するのを阻止し、内蓋体５が所定の上下位置に位置決めされて取着される。なお、内蓋体５の取手部51を把持して上方へ引き上がれば、容器本体１から内蓋体５（抽出ユニット４）を容易に取り外すことが可能であり、抽出ユニット４を空の状態で容器本体１に取着して上下逆さまにしても抽出ユニット４の自重で容器本体１から抜け落ちることがない程度の嵌合力で取着されている。
【００１８】
図８に示すように、容器本体１に抽出ユニット４を挿入して内嵌状に取付けた後に、容器本体１に外蓋体２を螺着して、シール材23がシール用段差面（段差部）12に密着して、容器本体１と外蓋体２の間を密閉した抽出密封状態で、外蓋体２（の下面側）が、内蓋体５（の上面５ａ側）に当接するように設けている。つまり、内蓋体５は、上面５ａ側に、抽出密封状態で外蓋体２の下端面２ｄが当接する押さえ受け面56ａを有している。より具体的には、図６に示すように、内蓋体５の外周面５ｂに、周方向に沿って、ラジアル外方へ、突設した複数の横凸条部（外周凸条部）56の上面を、押さえ受け面56ａとしている。
横凸条部56は、周方向（軸心廻り）に隣り合う縦凸条部55の上端部と縦凸条部55の上端部の間を、周方向に連結するように、断続的に４箇所設けている。横凸条部56は、２〜６個に設けるのが好ましい。
【００１９】
図８に示すように、上述の抽出密封状態で外蓋体２が内蓋体５に当接することで、抽出を早めるために容器本体１を振った場合や、横向き姿勢に倒した場合に、抽出ユニット４（内蓋体５）が容器本体１の開口側へ移動する（抜ける）ことや、傾くことを阻止し、所定の位置及び姿勢に保持する。つまり、外蓋体２を、抽出ユニット４（内蓋体５）の抜け止めかつ姿勢保持用部材と併用している。
【００２０】
また、外蓋体２の下面側に、抽出密封状態で、内蓋体５の取手部51が差し込まれる下方開口状の収納空間（取手逃がし空間）を形成する底面視円形状の凹部25を設けている。取手部51を設けながらも外蓋体２と内蓋体５を上下方向に接近させて配設でき、容器本体１の内部を広く有効に使用できる（或いは、全体を上下方向にコンパクトにできる）。
【００２１】
また、図１と図２に示すように、容器本体１の上部周壁に、短円筒状のスリーブ部材６を外嵌状に取着している。容器本体１の上部周壁に設けた拡径段差面19に、スリーブ部材６の上端面61を当接させて、上下方向の位置決めを行うと共に、上方への抜けを防止している。また、スリーブ部材６は、ポリプロピレン樹脂等の耐熱性樹脂で一体成形したものである。
容器本体１に熱湯を入れた際に、スリーブ部材６を把持することで、高温の熱が使用者へ伝達されにくく、持ち運びが容易となる。
【００２２】
また、容器本体１は、平面視で円形状に形成し、底面視で角の丸い四角形（正方形）状に形成している。つまり、開口部側を円筒状に形成し、底部側へ向かうにつれて縮小（縮径）しながら角筒状に変化するように周壁を形成している。そして、底面（設置面）から５０ｍｍ以下の高さの範囲を、一辺が６３ｍｍ以上８０．５ｍｍ以下（底辺が約７０ｍｍ×７０ｍｍの四角柱状の１リットルスタンダードサイズの牛乳パックの９０％〜１１５％）に形成している。このように形成することで、冷蔵庫のドアポケットや牛乳パック（紙パックジュース）用ホルダ部に縦置き可能としながらも、内部容積を大きくできる。また、容器本体１の軸心を水平状とした横置き姿勢（寝かせ姿勢）の際に、底部側の角筒状周壁部によって、転がりを防止できる。
【００２３】
また、図６に示すように、内蓋体５は、横凸条部56を突設していない縦凸条部55と縦凸条部55の間を、抽出飲料が通過する流路部57としている。軸心廻りに複数の流路部57を有しているので、容器本体１の注ぎ口部18に容易に対応させることができる。
また、図４に示すように、内蓋体５は、上面５ａの中央部を弯曲凸型に形成し（ドーム型に膨出させ）、縦凸条部55や横凸条部56の角部や隅部や連結部をアール状に形成して、内蓋体５の上面５ａ側に結露等により水滴が溜まらないように形成している。
また、図４及び図５に示すように、流路部57に接する（隣接する）縦凸条部55と横凸条部56の連結角部58を、半径が３ｍｍ以上のアール形状（Ｒ形状）とするのが、上面５ａの水滴が容器本体１の底部側へ流れやすくなって望ましい。
また、縦凸条部55と横凸条部56の連結隅部や、縦凸条部55と外周面５ｂとの隅部や、横凸条部56と外周面５ｂとの隅部、縦凸条部55と横凸条部56と外周面５ｂとの隅部を、３ｍｍ以上のアール形状とすると、清掃性が高まって（洗浄が容易となって）好ましい。
【００２４】
次に、本発明の使用方法（作用）について説明する。
先ず、図９（ａ）に示すように、容器本体１に所定量の水を貯め、珈琲豆の粉（挽いたもの）である抽出飲料用粉粒体が収納されている抽出ユニット４を、水へ沈めるように、容器本体１に差し込む。
すると、図９（ｂ）に示すように、水が抽出フィルタ部31を通過して抽出容器３内に流入する。その流入に伴って、抽出ユニット４内の空気が、小凸部70によって形成された間隙Ｓを介して、外部に排出される。
【００２５】
ここで、仮に、小凸部70を設けていないとすると、内蓋体５の施蓋面５ｄと、抽出容器３の上端面３ａが密着し、抽出容器３の開口部からの空気の流出が阻止される。すると、水が抽出容器３内に流入することが困難となり、抽出ユニット４の沈下に伴い、水が押しのけられ、容器本体１からオーバーフローする虞がある。つまり、小凸部70によって、空気抜き路（排気路）を形成し、抽出容器３に確実に水が流入するようにして、容器本体１からのオーバーフローを防止している。特に、珈琲用の抽出フィルタ部31は、目の細かい膜状であり、水の流入がスムーズに行われない虞があるため、珈琲用の抽出ユニット４に最適である。
なお、間隙Ｓの所定間隙寸法Ｚ（小凸部70の突出寸法）を、０．１ｍｍ以上１ｍｍ未満に設定しているため、容器本体１を横置き姿勢にしても、水を吸って膨張した抽出飲料用粉粒体が間隙Ｓから大量に排出されることはない。
また、図５に示すように内蓋体５の内周面５ｃに、内周長の５％以上２５％以下の長さの（傾斜）一文字状の螺着用凸（条）部59を、２つ設けて、抽出容器３と螺着可能に構成しているので、内周面５ｃを一周以上するような雌ネジ部（螺旋状凸条部）を設けた場合に比べて、螺着状態であっても空気の排気が容易である。
【００２６】
そして、図７に示すように、容器本体１に抽出ユニット４を内嵌状に取着後、図８に示すように、外蓋体２を螺着して容器本体１を密封すると共に抽出ユニット４の抜けが防止された抽出密封状態で、収納場所に応じて、縦置き姿勢又は横置き姿勢にして、所定抽出時間（所望の濃さになるまで）、冷蔵庫等に保管する。
【００２７】
次に、所定抽出時間後（所望の濃さになった場合）、図10（ａ）に示すように外蓋体２を取り外し、内蓋体５の取手部51を把持して持ち上げて、容器本体１から抽出ユニット４（内蓋体５が取着された抽出容器３）を取り出す。その後、図10（ｂ）に示すように、抽出ユニット４を載置するだけで、直ぐに、外蓋体２を、容器本体１に螺着でき、抽出ユニット取り出し完了状態（抽出飲料保存状態）となる。取手部51を把持することで手が抽出飲料でひどく濡れず衛生的（清潔）に作業を進めることができる。
【００２８】
ここで、仮に、内蓋体５を省略し、外蓋体２に抽出容器３を直接取着した構成とすると、所定抽出時間後に、容器本体１から外蓋体２を取り外し、外蓋体２から抽出容器３を取り外した後に、外蓋体２を取着する必要があり、手間と時間がかかるといった問題が発生する。また、外蓋体２から抽出容器３を取り外す際に、手が濡れてしまうといった問題や、飲料が接触する虞の高い外蓋体２の下面側に手が触れる場合があり、そのまま外蓋体２を容器本体１に取着するのは不衛生であるといった問題や、抽出飲料用粉粒体が外蓋体２の裏面側に付着している場合があり抽出飲料に混入してしまうといった問題があるため、抽出容器３を取り外した外蓋体２を洗浄する必要があり、時間と手間がかかる。つまり、本発明は、このような問題を解決している。
【００２９】
次に、抽出ユニット４の他の例を図11に示す。
図11の抽出ユニット４は、図３の抽出ユニット４と比べて、抽出容器３の長さ（長手方向寸法）が長く、内容積が大きいものである。また、抽出フィルタ部31を設けている（フィルタ部材39を張設している）面積が広く、抽出フィルタ部31の網目（フィルタ部材39の目）も粗い（大きい）ものである。このようなものは、ハーブや茶葉のように、珈琲の粉（珈琲豆を挽いたもの）に比べて大きな抽出飲料用粉粒体に最適である。言い換えると、図３の抽出ユニット４は、珈琲の粉のように、細かい（小さい）抽出飲料用粉粒体に最適である。なお、図11の抽出ユニット４の他の構成は図３乃至図10で説明した抽出ユニット４と同様である。
【００３０】
なお、本発明の説明を容易にするために、水平面状の設置面に、容器本体１の軸心（長手方向）を鉛直状として載置した起立姿勢を基準姿勢として、方向を説明している。したがって、方向を基に、使用状態の姿勢を限定するものではない。例えば、容器本体１の軸心を水平状とした横置き姿勢で、冷蔵庫の棚に載置して、抽出や冷蔵保存を行うことも可能である。また、方向を言い換えると、上下方向とは軸心方向（長手方向や縦方向）と言える。
【００３１】
なお、本発明は、設計変更可能であって、小凸部70を、抽出容器３（有底筒状部材38）の上端面３ａに突設させても良い。内蓋体５の取手部51の形状は図示した以外にも（鍋蓋の）ツマミ型等自由である。外蓋体２の把持部24は、図示した円周壁型以外に、側面視門型や、ツマミ型等とするも良い。また、押さえ受け面56ａは、上面５ａ側であれば、上面５ａの一部や、取手部51、縦凸条部55の上端面、とするも良い。また、抽出飲料用粉粒体（飲料用原料）とは、珈琲豆を粉砕した粉粒体、或いは、緑茶や麦茶等の日本茶、中国茶、紅茶、ハーブ等の粉粒体（葉片を含む）である。つまり、抽出される飲料は、日本茶、中国茶、紅茶、ハーブティ等の茶、又は、珈琲（コーヒー）等である。
【００３２】
以上のように、本発明の密封容器は、有底筒状の容器本体１と、容器本体１を密封するための外蓋体２と、を備えた密封容器に於て、抽出飲料用粉粒体を収容するための有底筒状の抽出容器３と、抽出容器３に施蓋状に取着すると共に容器本体１の内部に着脱自在に取着される取手付きの内蓋体５と、を備えたので、容器本体１から抽出容器３を容易かつ迅速に取り出せると共に抽出容器３を容器本体１から取り出した後、直ぐに外蓋体２を容器本体１に取着でき、素早く冷蔵庫等の保管場所に戻すことができる。抽出容器３を取り出す際に手がひどく濡れず、容器本体１の移動や冷蔵庫の開閉を衛生的に行うことができる。外蓋体２の下面側に手が接触する虞がなく、衛生的で、外蓋体２を洗浄する手間と時間を削減できる。
【００３３】
また、抽出容器３に内蓋体５を取着した施蓋完了状態で、抽出容器３の上端面３ａと、上端面３ａと対面状となる内蓋体５の施蓋面５ｄと、の間に、空気抜き用の間隙Ｓを形成するための小凸部70を、上端面３ａ及び施蓋面５ｄの一方に突設したので、水が貯えられた容器本体１に、抽出ユニット４（内蓋体５が螺着した抽出容器３）を、挿入した際に、水がスムーズに抽出ユニット４内に流れて、容器本体１から水がオーバーフローするのを防止でき、清潔で衛生的に作業できる。
【００３４】
また、容器本体１の内周面13を下方縮径型のテーパ状に形成し、内蓋体５に、上部内周面13に上下直線状に接触する上下位置決め用の複数の縦凸条部55を設けて、容器本体１に内蓋体５を内嵌状に取着可能に構成したので、容器本体１に対して、抽出ユニット４（内蓋体５が螺着した抽出容器３）を容易かつ迅速に着脱できる。構造が簡素で部品点数を少なくできると共に、樹脂成形を容易に行うことができる。また、容器本体１の上部内周面13が真円に形成されていなくても、ガタつきなく、確実に安定した姿勢を保持できると共に、所定の上下位置に確実に位置決めできる。
【符号の説明】
【００３５】
１  容器本体
２  外蓋体
３  抽出容器
３ａ  上端面
４ 抽出ユニット
５  内蓋体
５ｄ  施蓋面
13 テーパ状内周面
55  縦凸条部
70  小凸部
Ｓ  間隙
【図１】
0005896980.tif 000002
【図２】
0005896980.tif 000003
【図３】
0005896980.tif 000004
【図４】
0005896980.tif 000005
【図５】
0005896980.tif 000006
【図６】
0005896980.tif 000007
【図７】
0005896980.tif 000008
【図８】
0005896980.tif 000009
【図９】
0005896980.tif 000010
【図１０】
0005896980.tif 000011
【図１１】
0005896980.tif 000012